(57)【要約】【課題】自動車を所定の停車位置に案内することのできる技術を提供する。【解決手段】停車補助装置２００は、地面Ｇに設けられ、自動車ＡＭの車長方向に沿うように並べられた複数の光電センサＣ１・Ｃ２を有し、自動車ＡＭのタイヤを検出するタイヤ検出装置５と、タイヤ検出装置５が設けられた地面Ｇよりも汚れにくい場所に設けられ、自動車ＡＭの車体を検出する入車側センサ１９と、を備える。光電センサＣ１・Ｃ２のいずれか一つによる検出結果と入車側センサ１９の検出結果をもとにドライバーに案内を表示する。【選択図】図２
2020132031.tif 000002
【特許請求の範囲】
【請求項１】
地面の所定の停車位置に自動車を停車させるドライバーを補助する停車補助装置であって、
前記地面に設けられ、前記自動車の車長方向に沿うように並べられた複数のセンサを有し、前記自動車のタイヤを検出するタイヤ検出部と、
前記タイヤ検出部が設けられた前記地面よりも汚れにくい場所に設けられ、前記自動車の車体を検出する車体検出部と、を備え、
前記複数のセンサのいずれか一つによる検出結果と前記車体検出部の検出結果をもとに前記ドライバーに停車案内することを特徴とする停車補助装置。
【請求項２】
前記車体検出部の前記地面からの設置高さが、前記タイヤ検出部の前記地面からの設置高さよりも高いことを特徴とする請求項１記載の停車補助装置。
【請求項３】
前記車体検出部の前記地面からの検出高さが、前記タイヤ検出部の前記地面からの検出高さよりも高いことを特徴とする請求項１または２記載の停車補助装置。
【請求項４】
前記複数のセンサのうち異常なセンサを用いず、正常なセンサの検出結果と前記車体検出部の検出結果をもとに前記ドライバーに停車案内することを特徴とする請求項１〜３のいずれか一項に記載の停車補助装置。
【請求項５】
請求項１〜４のいずれか一項に記載の停車補助装置と、前記自動車に対して少なくとも洗浄を行う洗車機本体と、を備える洗車装置において、
前記車体検出部は、前記洗車機本体に設けられていることを特徴とする洗車装置。
【発明の詳細な説明】
【技術分野】
【０００１】
本発明は、自動車を適正な停車位置に停車させるための停車補助装置およびそれを備えた洗車装置に関する。
【背景技術】
【０００２】
特許文献１（特開２０１７−１５４６０５号公報）には、洗車エリアに設けられたタイヤ検出手段を備え、自動車のタイヤを検出しながら適正な停止位置に自動車を案内させる停車補助装置が記載されている。具体的に、タイヤ検出手段は、自動車の入車方向に対して進入側に設けられた第１スイッチと、退出側に設けられた第２スイッチとを備えている。そして、停車補助装置は、第１および第２スイッチのタイヤ検出状況および検出タイミングに応じて、適正な停車位置に自動車を移動させようとするドライバーに対して「前進」、「後進」または「停止」の案内を行う。
【先行技術文献】
【特許文献】
【０００３】
【特許文献１】特開２０１７−１５４６０５号公報
【発明の概要】
【発明が解決しようとする課題】
【０００４】
特許文献１には、洗車装置に用いられるタイヤ検出手段の一例として、第１および第２スイッチがそれぞれ光電センサ（発光部および受光部）の光軸によって構成されたタイヤ停止装置が記載されている。洗車受付を開始すると二つの光電センサ（第１および第２スイッチ）が正常であるか光軸チェック（センサの動作チェック）が行われ、二つとも正常であれば停車案内が行われる。そして、洗車装置では、タイヤが二つの光電センサにより検出されている状態、すなわち自動車が適正な停車位置に停車した状態において、洗車が行われる。
【０００５】
ところで、タイヤ停止装置を構成する光電センサは、洗車エリアの地面に設けられるため、自動車から落ちた泥や雪を、タイヤとして検出してしまう場合がある。例えば、透過型の光電センサでは、光軸上に落ちた泥で遮光されタイヤがあると検出されてしまう。このため、動作チェック後において落ちた泥をタイヤとして検出してしまう場合もある。この場合、二つの光電センサとも泥をタイヤとして検出した状態が所定時間続けば、異常であるとして停止案内を中止する処理を取ることもできる。しかしながら、一方の光電センサが泥をタイヤとして検出したとしても、他方が正常にタイヤを検出することができる状態であれば停車案内が行われてしまう場合があり、この場合は正常な停止案内をすることができない。
【０００６】
正常な停止案内ができない場合としては、例えば、自動車が前進しているのにいつまでも「前進」の案内をし、車が後進しているのにいつまでも「後進」の案内をしてしまうことが考えらえる。このように、地面に設けられるタイヤ検出手段として、正常動作する光電センサが一つだけのような単にタイヤの有無を検出する装置では、ドライバーに対して正しく「前進」や「後進」の案内を行うことができない。このため、自動車を所定の停車位置に停車させることができないといった問題が生じる。
【０００７】
本発明の一目的は、自動車を所定の停車位置に案内することのできる技術を提供することにある。
【課題を解決するための手段】
【０００８】
本発明の一実施形態における停車補助装置は、地面の所定の停車位置に自動車を停車させるドライバーを補助する停車補助装置であって、前記地面に設けられ、前記自動車の車長方向に沿うように並べられた複数のセンサを有し、前記自動車のタイヤを検出するタイヤ検出部と、前記タイヤ検出部が設けられた前記地面よりも汚れにくい場所に設けられ、前記自動車の車体を検出する車体検出部と、を備えている。前記複数のセンサのいずれか一つによる検出結果と前記車体検出部の検出結果をもとに前記ドライバーに停車案内する。
【発明の効果】
【０００９】
本発明の一実施形態によれば、自動車を所定の停車位置に案内することができる。
【図面の簡単な説明】
【００１０】
【図１】本発明の実施形態に係る洗車装置を模式的に示す平面図である。
【図２】図１に示す洗車装置を模式的に示す側面図である。
【図３】本発明の実施形態に係る停車補助装置の一部を模式的に示す平面図である。
【図４】図１に示す洗車装置の制御系を示すブロック図である。
【図５】停車案内状況の一例を説明するための図である。
【図６】停車案内状況の他の例を説明するための図である。
【発明を実施するための最良の形態】
【００１１】
以下、本発明に係る停車補助装置およびこれを備えた洗車装置の実施形態について、図面を参照して説明する。図１は本発明の実施形態に係る洗車装置１００を模式的に示す平面図である。図２は図１に示す洗車装置１００を模式的に示す側面図である。図３は本発明の実施形態に係る停車補助装置２００の一部（タイヤ検出装置５）を模式的に示す平面図である。図４は図１に示す洗車装置１００の制御系を示すブロック図である。図５は停車案内状況の一例を説明するための図である。図６は停車案内状況の他の例を説明するための図である。
【００１２】
本実施形態に係る洗車装置１００は、停車補助装置２００と、洗車機本体１とを備えている。停車補助装置２００は、地面Ｇの所定の停車位置に自動車ＡＭを停車させるドライバーを補助する。また、洗車機本体１は、自動車ＡＭに対して少なくとも洗浄を行う。
【００１３】
門型に形成されている洗車機本体１は、レール２・２上を往復走行して、レール２・２間に形成される洗車エリアＡへ進入した自動車ＡＭを本体１内に設ける洗車処理装置により洗浄・乾燥するものである。洗車エリアＡの入場口付近には、洗車料金を投入して希望の洗車コースを選択する等の洗車受付を行う洗車受付装置３と、洗車エリアＡの入場を制限するゲート装置４が設けられ、ドライバーが自動車ＡＭに乗ったまま洗車受付装置３を操作し、洗車を受け付けるとゲート装置４のゲートが開いて自動車ＡＭの洗車エリアＡへの進入が可能となる。
【００１４】
停車補助装置２００は、自動車ＡＭのタイヤを検出するタイヤ検出部としてタイヤ検出装置５を備えている。タイヤ検出装置５は、タイヤを検出することで、洗車エリアＡにおける自動車ＡＭの停車位置を与える。タイヤ検出装置５は、待機位置にある洗車機本体１の所定距離前方にあたる洗車エリアＡの地面Ｇに敷設されている。
【００１５】
タイヤ検出装置５は、洗車する自動車ＡＭを車幅方向に挟むように配置される左右一対のセンサユニット６・７と、該センサユニット６・７の進入方向奥側にセンサユニット６・７間を横断して設けられるタイヤ止め８とを備えている。センサユニット６は、自動車ＡＭの進入方向の前後に２つの発光部６ａ・６ｂを配列し、カバー６ｃによって保護されている。また、センサユニット７は、センサユニット６の発光部６ａ・６ｂと対向する受光部７ａ・７ｂを配列し、カバー７ｃによって保護されている。
【００１６】
このセンサユニット６・７により、自動車ＡＭの進入方向に対して前方（手前側）に発光部６ａ−受光部７ａ（光電センサＣ１）の光軸Ｂ１が形成され、後方（奥側）に発光部６ｂ−受光部７ｂ（光電センサＣ２）の光軸Ｂ２が形成される。このように、タイヤ検出装置５は、自動車ＡＭの車長方向（進入方向）に沿うように並べられた複数の光電センサとして、光軸Ｂ１を形成する光電センサＣ１および光軸Ｂ２を形成する光電センサＣ２を用い、各光軸の検出状況により自動車ＡＭのタイヤを検出し、停車を検出することができる。なお、発光部には例えば発光ダイオードやレーザ、受光部には例えばフォトトランジスタやフォトダイオードを用いることができる。
【００１７】
このタイヤ検出装置５は、自動車ＡＭが洗車エリアＡに入場してくる際には、自動車ＡＭの停車位置を与える停車検知として機能し、洗車が開始された後には、自動車ＡＭが停車位置にあるか否かを監視する自走検知として機能する。例えば、停車検知機能においては、光軸Ｂ１・Ｂ２が両方ともタイヤで遮光される状態を自動車ＡＭの適正な停車位置とすることができる。また、自走検知機能においては、光軸Ｂ１・Ｂ２が両方とも透光となる状態を自動車ＡＭの移動とすることができる。このため、光軸Ｂ１・Ｂ２の間隔Ｓは、大小あるタイヤサイズ毎の接地長さと、各機能における検知精度を考慮して決定しておくことができる。
【００１８】
停車補助装置２００は、ドライバーに対して案内を表示する案内部としてガイド表示器９を備えている。ガイド表示器９は、洗車エリアＡの退場口後方に設置され、洗車受付時には自動車ＡＭの入場を案内し、洗車中には洗車動作の進行状況や異常発生等を表示し、洗車終了時には自動車ＡＭの退場を案内する。入場案内は、洗車エリアＡに進入する自動車に対して、タイヤ検出装置５で与える自動車の状況に応じて「前進」「停止」「後進」といった指示表示を行う。洗車中案内は、実行している洗車工程の表示と自走を禁止する注意表示を行う。退車案内は、洗車が終了したことを案内し、自動車ＡＭを移動させる指示表示を行う。尚、自動車入場時及び洗車中には自動車ＡＭの運転席から視認しやすい位置にし、自動車退出時には自動車退出路から退避させる揺動式にしてもよい。
【００１９】
停車補助装置２００は、自動車ＡＭの車体を検出する車体検出部として入車側センサ１９を備えている。本実施形態では、入車側センサ１９は、洗車機本体１に設けられている。具体的には、入車側センサ１９は、自動車ＡＭが入車してくる洗車機本体１の前部から取付アームにより前方に突出させた状態で取り付けられている。この入車側センサ１９は、例えば光電センサであり、発光部と受光部を車幅方向に対向させて光軸Ｂ３を形成し、その光軸Ｂ３の透光／遮光によって車体の有無を検出するものである。図２に示すように、タイヤ検出装置５と入車側センサ１９との間の距離ｄ１は、光電センサＣ１と光電センサＣ２との間の距離ｄ２よりも離れている。すなわち、入車側センサ１９は、泥などによって異常が発生しやすいタイヤ検出装置５から離れた位置（汚れにくい場所）に設けられている。具体的には、入車側センサ１９の地面Ｇからの設置高さｈ１が、タイヤ検出装置５の地面Ｇからの設置高さｈ２よりも高くなるように設けられている。なお、本実施形態では、入車側センサ１９の設置高さｈ１は地面Ｇから光軸Ｂ３までの高さ（検出高さ）と同じとし、タイヤ検出装置５の設置高さｈ２は地面Ｇから光軸Ｂ１・Ｂ２までの高さと同じとして説明している。
【００２０】
洗車機本体１に装備される洗車処理装置は、洗浄ブラシ・乾燥ノズル・散液パイプとから構成されている。洗浄ブラシは、車体上面に沿って昇降し同上面をブラッシングするトップブラシ１０と、車体に幅方向に対して接離（開閉）動作し車体の前後面および側面をブラッシングする左右一対のサイドブラシ１１・１１とを備える。乾燥ノズルは、車体上面に沿って昇降し同上面に高圧空気を吹き付けるトップノズル１２と、車体側面に高圧空気を吹き付ける左右一対のサイドノズル１３・１３とを備える。散液パイプは、本体１と同じアーチ状に形成され、水とシャンプーを選択的に散布するシャンプー散布パイプ１４と、水とワックスと撥水剤を選択的に散布するワックス散布パイプ１５と、水を散布する水散布パイプ１６とを備える。
【００２１】
その他の装備として、洗車装置１００には、洗車機本体１の走行位置を検出する走行検出装置１７と、自動車ＡＭの上面位置を検出する車形検出装置１８とが設けられている。洗車機本体１の走行に合わせて自動車ＡＭの上面位置を検出していくことで、自動車ＡＭの上面輪郭を抽出し、洗車処理装置の制御データを作成している。また、車形検出装置１８は、光電センサＣ１・Ｃ２ともに動作状況が異常である場合、入車側センサ１９との組み合わせにより自動車ＡＭの前端位置を検出し、自動車ＡＭの停車位置を出力することができる。
【００２２】
また、洗車機本体１には、後部に自動車ＡＭが退車したことを検出する退車側センサ２０と、後面に物体を検出するエリアセンサ２１とが設けられている。退車側センサ２０は、例えば光電センサであり、発光部と受光部を車幅方向に対向させて光軸を形成し、その光軸の透光／遮光によって車体の有無を検出するものである。エリアセンサ２１は、照射した赤外光の反射波を検知して物体の有無を検出するもので、本体１が後退する際にその進行方向に退出中の自動車ＡＭや人等の存在を出力する。
【００２３】
このように構成する洗車装置１００は、洗車受付装置３で洗車受付を行い、開いたゲート装置４からガイド表示器９の案内に従って自動車ＡＭを洗車エリアＡ内に入場させていき、タイヤ検出装置５で与える停車位置に自動車ＡＭを停車させて洗車機本体１による洗車サービスを受けた後、洗車機本体１の後方へ退出するドライブスルー方式で運用される。なお、セルフサービスの洗車装置１００としては、ドライブスルー方式に限らず、洗車後に自動車ＡＭを後退させて退出させる方式や、洗車後に洗車機本体１を後退させ自動車ＡＭが洗車機手前から側方へ退出する方式もある。
【００２４】
ここで、洗車装置１００が備える制御部（停車補助装置２００の制御部が含まれる）について図４を参照して説明する。本実施形態では、洗車装置２００の制御部として洗車制御ボード２２および受付洗車ボード２３が用いられる。洗車制御ボード２２は、洗車機本体１に内蔵される。また、受付制御ボード２３は、洗車受付装置３に内蔵される。洗車制御ボード２２および受付制御ボード２３ともマイクロコンピュータを備えており、両ボードはシリアル伝送用のケーブル２４で接続されている。
【００２５】
洗車制御ボード２２は、走行検出装置１７・車形検出装置１８・入車側センサ１９・退車側センサ２０・エリアセンサ２１が接続されるとともに、洗車駆動部２５を介して洗車処理装置（ブラシ系１０・１１、ノズル系１２・１３、散水系１４・１５・１６）が接続されている。この洗車制御ボード２２は、伝送ケーブル２４を介して受付制御ボード２３より伝送される洗車要求信号に基づき、接続される各要素の動作を制御する。
【００２６】
受付制御ボード２３は、ゲート装置４・タイヤ検出装置５・ガイド表示器９・受付操作パネル２６が接続され、受付操作パネル２６からの洗車料金やメニュー選択を受付可能とし、受け付けた内容に基づいて洗車制御ボード２２へ洗車要求信号を出力する。受付操作パネル２６は、現金やプリペイドカードにより洗車料金を受け付ける料金受付部をはじめ、洗車メニューキー・洗車スタートキー・取消キー等のキー入力部と、操作案内や洗車スペースへの入場案内等を音声で行う音声ガイド部とを備えている。
【００２７】
次に、本実施形態における洗車装置１００を用いた作業手順について説明する。まず、自動車ＡＭで洗車受付装置３の前に乗り入れ、ドライバーが自動車ＡＭに乗ったまま洗車受付装置３で洗車受付を開始する。受付制御ボード２３では、タイヤ検出装置５の光軸チェック（センサの動作チェック）を行い、各光電センサＣ１・Ｃ２が正常に動作するかの確認を行う。具体的に光軸チェックでは、発光部６ａ・６ｂを発光させる前の受光部７ａ・７ｂでの受光レベルと、発光部６ａ・６ｂを発光させた後の受光部７ａ・７ｂでの受光レベルとの差分レベルが基準値よりも高ければ各光軸Ｂ１・Ｂ２が正常である（すなわち発光不良、受光不良がない）と判断し、差分レベルが基準値よりも低ければ各光軸Ｂ１・Ｂ２が異常であると判断する。異常と判断される場合としては、泥などにより遮光されて差分レベルが基準値よりも低いことが含まれる。
【００２８】
以下では、タイヤ検出装置５の光軸チェック（光電センサの動作チェック）した結果を場合分けして、それぞれの場合に停車補助装置２００（洗車装置１００）がとり得る動作について説明する。
【００２９】
まず、光軸チェックで光電センサＣ１・Ｃ２の光軸Ｂ１・Ｂ２の両方に異常が認められた場合について説明する。この場合、停車案内にはタイヤ検出装置５を用いず、車形検出装置１８及び入車側センサ１９を用いた停車案内に切り替える。この際、管理者が素早くタイヤ検出装置５の異常を確認できるよう、洗車受付装置３の受付操作パネル２６に備えられる各種キーに対応したＬＥＤランプの表示パターンを通常時と異常発生時とで変化させることで報知させることができる。加えて、洗車機本体１に備える管理用パネル（図示しない）に、タイヤ検出装置５の光軸異常と検査点検を促す表示を行うこともできる。尚、異常報知する方法としては、点灯したり、無線機や携帯端末で管理者に伝送したりするなど様々な実施態様が考えられる。
【００３０】
次に、光軸チェックで光電センサＣ１・Ｃ２の光軸Ｂ１・Ｂ２のいずれかに異常が認められた場合について説明する。ここでは、光電センサＣ２の光軸Ｂ２に異常が認められ、光電センサＣ１の光軸Ｂ１が正常であるとする。この場合、異常な光電センサＣ２を用いず、正常な光電センサＣ１の光軸Ｂ１の検出結果および入車側センサ１９（光電センサ）の検出結果を用いた停車案内に切り替える。以下では、光軸Ｂ１の検出結果と光軸Ｂ３の検出結果をもとにドライバーに案内を表示する場合について図５を参照して説明する。図５は、光軸Ｂ１・Ｂ３の透光／遮光の検出状況及び検出タイミング毎に切り替わる案内表示のフローを示している。
【００３１】
本実施形態では、タイヤ検出装置５と入車側センサ１９との間の距離ｄ１は、光電センサＣ１と光電センサＣ２との間の距離ｄ２よりも離れている。すなわち、入車側センサ１９は、泥などによって異常が発生しやすいタイヤ検出装置５から離れた位置に設けられている。より具体的には、入車側センサ１９（光軸Ｂ３）の地面Ｇからの設置高さｈ１が、光電センサＣ１・Ｃ２（光軸Ｂ１・Ｂ２）の地面Ｇからの設置高さｈ２よりも高くしている。これにより、入車側センサ１９が例えば泥などの影響を受けて異常と認定されるのを防いでいる。したがって、停車補助装置２００が安定に動作し、自動車ＡＭを所定の停車位置に停車させることができる。
【００３２】
洗車受付が完了してゲート装置４が開くと、両光軸Ｂ１・Ｂ３が透光している状態で、ガイド表示器９に「前進」の案内表示を行い、光軸Ｂ１・Ｂ３の透光／遮光状況を監視していく（図５（ａ））。通常、ドライバーは、このガイド表示に従い自動車ＡＭを洗車エリアＡへ乗り入れていき、タイヤ検出装置５のタイヤ止め８を目安に前進させることとなる。
【００３３】
図５（ａ）に示す状態から、自動車ＡＭが前進していくと、タイヤ（前輪）が光軸Ｂ１を遮光した状態となる（図５（ｂ））。このとき、自動車ＡＭが停車位置に達したと判断してガイド表示器９で「停止」の案内表示を行い、ドライバーに停車を促す。ドライバーは、この案内に従って自動車ＡＭの走行を停止させれば良く、停車位置に停車された状態が所定時間以上継続されると、停車が確定し、洗車装置１００では洗車動作へ移行する。
【００３４】
図５（ｂ）に示す状態から、自動車ＡＭが更に前進していくと、自動車ＡＭの車体が光軸Ｂ３を遮光し、光軸Ｂ１・Ｂ３が両方とも遮光された状態となる（図５（ｃ））。このときもガイド表示器９で「停止」の案内表示を行い、ドライバーに停車を促す。停車位置に停車された状態が所定時間以上継続されると、停車が確定し、洗車装置１００では洗車動作へ移行する。
【００３５】
しかしながら、図５（ｃ）に示す状態から、自動車ＡＭが更に前進してしまうと、タイヤ（前輪）が停車位置を通り抜け、光軸Ｂ１が遮光から透光に転じた状態となる（図５（ｄ））。このとき、自動車ＡＭが停車位置から行き過ぎたと判断してガイド表示器９で「後進」の案内表示を行い、ドライバーに後進を促す。
【００３６】
図５（ｄ）に示す状態から、ドライバーがガイド表示器９で「後進」の案内表示が出されているにも関わらず自動車ＡＭが更に前進してしまうと、光軸Ｂ１・Ｂ３の両方とも遮光された状態となる（図５（ｅ））。このとき、タイヤ検出装置５が自動車ＡＭの後輪を検出したと判断してガイド表示器９で「停止」の案内表示を行う。また、タイヤ検出装置５で自動車の後輪を検出することは明らかな異常状態であるため、ガイド表示の他に音声出力して正しい位置へ戻るよう警告することが望ましい。他方、図５（ｄ）に示す状態から、自動車ＡＭが後進していくと、図５（ｃ）に示す状態となる。
【００３７】
このように、タイヤ検出装置５がタイヤ（前輪）を検出するまでは、ガイド表示器９へ「前進」の表示をさせ、タイヤ検出装置５がタイヤ（前輪）を検出したときに「停止」の表示をさせることができる。また、再びタイヤ検出装置５がタイヤ（前輪）を検出しなくなると、自動車ＡＭの移動方向を判断して「前進」もしくは「後進」の表示をさせることができる。このようにドライバーに案内を表示することで、自動車ＡＭを所定の停車位置に停車させることができる。
【００３８】
次に、光軸チェックで光軸Ｂ１・Ｂ２の両方が正常と認められた場合、停車案内にはタイヤ検出装置５のみを用いた停車案内を行うことができる。以下、自動車ＡＭが洗車エリアＡへ進入する際のタイヤ検出装置５に基づく停車案内について、図６を用いて説明する。図６は光軸Ｂ１・Ｂ２の透光／遮光の検出状況及び検出タイミング毎に切り替わる案内表示のフローを示している。
【００３９】
洗車受付が完了してゲート装置４が開くと、両光軸Ｂ１・Ｂ２が透光している状態で、ガイド表示器９に「前進」の案内表示を行い（図６（ａ））、タイヤ検出装置５の透光／遮光状況を監視していく。ドライバーは、このガイド表示に従い自動車ＡＭを洗車エリアＡへ乗り入れていき、タイヤ検出装置５のタイヤ止め８を目安に進入させる。自動車ＡＭの進入に伴い、タイヤ（前輪）が光軸Ｂ１を遮光し（図６（ｂ））、続いて光軸Ｂ２も遮光して両光軸が両方とも遮光されると（図６（ｃ））、自動車ＡＭが停車位置に達したと判断してガイド表示器９で「停止」の案内表示を行い、ドライバーに停車を促す。ドライバーは、この案内に従って自動車ＡＭの走行を停止させれば良く、停車位置に停車された状態が所定時間以上継続されると、停車が確定し洗車動作へ移行する。
【００４０】
タイヤ（前輪）が停車位置を通り抜け、光軸Ｂ１が遮光から透光に転じると（図６（ｄ））、自動車ＡＭが停車位置から行き過ぎたと判断してガイド表示器９で「後進」の案内表示を行い、ドライバーに後進を促す。ドライバーは、この案内に従って自動車ＡＭをバックさせることで、自動車ＡＭを所定の停止位置に停車させることができる。
【００４１】
ドライバーがガイド表示器９で「後進」の案内表示が出されているにも関わらず自動車ＡＭを前進させ続け、両光軸Ｂ１・Ｂ２が透光に転じると（図６（ｅ））、タイヤ（前輪）がタイヤ検出装置５を突き抜けたと判断して、次に遮光される光軸によって案内表示を切り替える。すなわち、光軸Ｂ１・光軸Ｂ２が透光から遮光に転じる順番からタイヤ検出装置５で検出されるタイヤが前輪か後輪かを判別している。
【００４２】
ここで、光軸Ｂ２が先に遮光されると（図６（ｄ））、自動車ＡＭの後進によりタイヤ検出装置５が自動車ＡＭの前輪を検出したと判断してガイド表示器９で「後進」の案内表示を継続させ、続いて光軸Ｂ１も遮光して両光軸が遮光されると、自動車ＡＭが停車位置に達したと判断してガイド表示器９で「停止」の案内表示を行う。
【００４３】
一方、光軸Ｂ１が先に遮光されると（図６（ｆ））、自動車ＡＭが前進を続けタイヤ検出装置５が自動車の後輪を検出したと判断してガイド表示器９で「後進」の案内表示を継続させ、続いて光軸Ｂ２も遮光して両光軸が両方とも遮光されると（図６（ｇ））、ガイド表示器９で「停止」の案内表示を行う。尚、タイヤ検出装置５で自動車ＡＭの後輪を検出することは明らかな異常状態であるため、ガイド表示の他に音声出力して正しい位置へ戻るよう警告することが望ましい。
【００４４】
このように、タイヤ検出装置５がタイヤ（前輪）を検出するまでは、ガイド表示器９へ「前進」の表示をさせ、タイヤ検出装置５がタイヤ（前輪）を検出したときに「停止」の表示をさせ、再びタイヤ検出装置５がタイヤ（前輪）を検出しなくなると、自動車ＡＭの移動方向を判断して「前進」もしくは「後進」の表示をさせて、自動車ＡＭを確実に所定の停止位置へ案内することができる。
【００４５】
以上、本発明を実施形態に基づき具体的に説明したが、本発明は前記実施形態に限定されるものではなく、その要旨を逸脱しない範囲で種々変更可能であることはいうまでもない。
【００４６】
上記説明では、洗車装置に利用した場合を例示しているが、洗車装置以外であっても、自動車を所定の停車位置に案内するための機能として広く応用することができる。また、洗車装置としても上記説明のドライブスルー方式の洗車装置以外のセルフサービス洗車装置にも適用できる。また、タイヤ検出装置として、透過型の光電センサを用いているが、反射式の光電センサ、超音波センサ、タイヤ踏圧で変形する圧力スイッチ、光ファイバーなど検出媒体に限定はない。
【００４７】
また、前記実施形態では、タイヤ検出装置（タイヤ検出部）が二つのセンサを備えて構成される場合について説明した。これに限らず、三つ以上を備えて構成される場合であってもよく、一つのセンサが正常であればその検出結果と車体検出部の検出結果をもとにドライバーに案内を表示させることができる。
【００４８】
また、前記実施形態では、車体検出部として洗車機本体の前部に設けた入車側センサを適用した場合について説明した。これに限らず、汚れにくい場所であれば、例えば洗車機本体の内部側や、地面に設けられた保護ケース内に車体検出部としてのセンサを設けてもよい。
【符号の説明】
【００４９】
１  洗車機本体、  ２  レール、  ３  洗車受付装置、  ４  ゲート装置、  ５  タイヤ検出装置、  ６  センサユニット、  ６ａ、６ｂ  発光部、  ６ｃ  カバー、  ７  センサユニット、  ７ａ、７ｂ  受光部、  ７ｃ  カバー、  ８  タイヤ止め、  ９  ガイド表示器、  １０  トップブラシ、  １１  サイドブラシ、  １２  トップノズル、  １３  サイドノズル、  １４  シャンプー散布パイプ、  １５  ワックス散布パイプ、  １６  水散布パイプ、  １７  走行検出装置、  １８  車形検出装置、  １９  入車側センサ、  ２０  退車側センサ、  ２１  エリアセンサ、  ２２  洗車制御ボード、  ２３  受付制御ボード、  ２４  伝送ケーブル、  ２５  洗車駆動部、  ２６  受付操作パネル、  １００  洗車装置、  ２００  停車補助装置、  Ａ  洗車エリア、  ＡＭ  自動車、  Ｂ１、Ｂ２、Ｂ３  光軸、  Ｃ１、Ｃ２  光電センサ、  Ｇ  地面、  ｈ１、ｈ２  検知高さ
【図１】
2020132031.tif 000003
【図２】
2020132031.tif 000004
【図３】
2020132031.tif 000005
【図４】
2020132031.tif 000006
【図５】
2020132031.tif 000007
【図６】
2020132031.tif 000008